(57)【特許請求の範囲】
【請求項１】
時間経過に伴って供給される映像信号が記録されるリングバッファを備えたリングバッファ付き情報記録再生装置であって、
前記リングバッファの先頭位置から最後尾位置へと前記映像信号を連続して記録しつつ前記リングバッファに記録されている記録信号を再生する記録再生手段と、前記リングバッファ内における現時点での記録位置及び再生位置各々を示す情報を得る記録再生位置情報取得手段と、前記再生位置が前記記録位置よりも先行しており、かつ前記記録再生手段による前記映像信号の記録速度が再生速度よりも速い場合には前記再生速度を速くすべく調整する再生速度調整手段と、を有し、
前記再生速度調整手段は、現時点において再生対象となっている再生対象番組を全て再生し終わる前に前記記録位置が前記再生対象番組の最後尾位置にまで到達することが予測される場合に限り前記再生速度の調整を実行することを特徴とするリングバッファ付き情報記録再生装置。
【請求項２】
前記再生速度調整手段は、前記再生位置及び前記記録位置間の距離に応じた分だけ前記再生速度を調整することを特徴とする請求項１記載のリングバッファ付き情報記録再生装置。
【請求項３】
前記再生速度調整手段は、前記再生位置及び前記記録位置間の距離が小なるほど前記再生速度を速めるべき調整を行うことを特徴とする請求項２記載のリングバッファ付き情報記録再生装置。
【請求項４】
現時点において再生対象となっている再生対象番組を全て再生し終わる前に前記記録位置が前記再生対象番組の最後尾位置にまで到達することが予測される場合には、上書きが発生する旨を予告する上書予告メッセージを生成する上書予告メッセージ画像生成手段と、前記上書予告メッセージを表示する画像表示手段と、を更に備えたことを特徴とする請求項１記載のリングバッファ付き情報記録再生装置。
【請求項５】
前記上書予告メッセージ中には、上書きが開始されるまでの時間を表す内容が含まれていることを特徴とする請求項４記載のリングバッファ付き情報記録再生装置。
【発明の詳細な説明】
【０００１】
【発明の属する技術分野】
本発明は、映像信号をその領域内において循環させて記録及び再生するリングバッファを備えたリングバッファ付き情報記録再生装置に関する。
【０００２】
【背景技術】
現在、テレビション放送等によって提供される番組をビデオテープに代わりハードディスクに記録するようにしたハードディスクレコーダが着目されている。記録媒体としてハードディスクを用いれば、例えば、放送される番組を録画しつつ、録画済み番組の再生を同時に行う(以下、タイムシフト再生と称する)ことが可能となる。このようなタイムシフト再生を実現すべく、ハードディスク内にはリングバッファ領域が設けられている。
【０００３】
図１は、タイムシフト再生時における上記リングバッファ領域内での記録及び再生動作を説明する為の図である。
図１において、ライトポジションＷＰは、リングバッファ領域内での現在の記録位置を示すものであり、リードポジションＲＰは、その領域内での現在の再生位置を示すものである。これらＷＰ及びＲＰは、図１の白抜き矢印の如く夫々独立してリングバッファ領域の先頭位置から最後尾位置へ向けて徐々に移動し、最後尾に到達したら先頭位置に戻って再び最後尾位置へ向けて移動する。すなわち、リングバッファ領域内では、その領域の先頭から最後尾までの連続した記録及び再生動作を夫々独立に、かつこの領域内において循環して実施するのである。尚、上記ＷＰ及びＲＰ各々の移動速度は、記録又は再生対象となる放送番組を担う映像信号のビットレートに依存する。
【０００４】
以上の如き動作により、タイムシフト再生時には、テレビション放送によって提供された放送番組を上記ＷＰにて示されるリングバッファ領域内の位置に録画しつつ、上記ＲＰにて示される位置から録画済み放送番組の再生が為されるのである。
ここで、ディジタル放送には、高画質なＨＤＴＶ(High Definition Television)放送番組、及び標準画質のＳＤＴＶ(Standard Definition Television)放送番組の如き、互いにビットレートの異なる放送番組が混在している。従って、例えば、図１の如くライトポジションＷＰ及びリードポジションＲＰが互いに近接した状態で、高ビットレートのＨＤＴＶ放送番組を録画しつつ、低ビットレートのＳＤＴＶ放送番組の再生を行うと、ＷＰがＲＰを追い抜くような状態になる。ライトポジションＷＰがリードポジションＲＰを追い抜いてしまうと、これから再生しようとする部分(ＳＤＴＶ放送番組)が、途中で上記ＨＤＴＶ放送番組の内容によって上書きされてしまう。
【０００５】
【発明が解決しようとする課題】
本発明は、かかる問題点を解決すべく為されたものであり、タイムシフト再生時における再生予定箇所への上書きを防止することができるリングバッファ付き情報記録再生装置を提供することを目的とする。
【０００６】
【課題を解決するための手段】
請求項１記載によるリングバッファ付き情報記録再生装置は、時間経過に伴って供給される映像信号が記録されるリングバッファを備えたリングバッファ付き情報記録再生装置であって、前記リングバッファの先頭位置から最後尾位置へと前記映像信号を連続して記録しつつ前記リングバッファに記録されている記録信号を再生する記録再生手段と、前記リングバッファ内における現時点での記録位置及び再生位置各々を示す情報を得る記録再生位置情報取得手段と、前記再生位置が前記記録位置よりも先行しており、かつ前記記録再生手段による前記映像信号の記録速度が再生速度よりも速い場合には前記再生速度を速くすべく調整する再生速度調整手段と、を有し、前記再生速度調整手段は、現時点において再生対象となっている再生対象番組を全て再生し終わる前に前記記録位置が前記再生対象番組の最後尾位置にまで到達することが予測される場合に限り前記再生速度の調整を実行する。
【０００７】
【発明の実施の形態】
以下に本発明の実施例を図面を参照しつつ詳細に説明する。
図２は、本発明による情報記録再生装置１００の構成を示す図である。
図２において、チューナ１１は、システム制御回路１０からディジタル放送のチャンネル指定信号が供給された場合には、この指定されたチャンネルのディジタル放送波を受信する。この際、チューナ１１は、受信したディジタル放送波を復調することによりＭＰＥＧ(Moving Picture Experts Group)信号を得て、これをＭＰＥＧ信号Ｍ１としてハードディスク装置１２及びセレクタ１３の各々に供給する。又、チューナ１１は、システム制御回路１０からアナログテレビジョン放送(NTSC方式、PAL方式、又はSECAM方式)のチャンネル指定信号が供給された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号Ｍ２としてハードディスク装置１２に供給する。
【０００８】
ハードディスク装置１２の記録再生ヘッド１２１は、システム制御回路１０から供給された記録指令信号に応じて、上記ＭＰＥＧ信号Ｍ１又はＭ２を、ハードディスク１２０のリングバッファ領域内に記録する。この際、システム制御回路１０は、カウント動作を開始させるべきカウント開始指令をライトポジションカウンタ１５に供給し、その現カウント値を、リングバッファ領域内での記録位置を指定すべきライトポジションＷＰとしてハードディスク装置１２に供給する。更に、システム制御回路１０は、記録すべきＭＰＥＧ信号Ｍ１又はＭ２のビットレートに応じた記録速度を指定する記録速度信号ＳWを、上記ライトポジションカウンタ１５に供給する。これにより、ライトポジションカウンタ１５は、上記記録速度信号ＳWに応じた速度でカウントアップ動作する。
【０００９】
従って、記録再生ヘッド１２１は、チューナ１１で受信された放送番組を担う上記ＭＰＥＧ信号Ｍ１又はＭ２を、図１に示す如きリングバッファ領域内における上記ライトポジションＷＰにて示される位置に記録する。この際、ライトポジションＷＰは上記記録速度信号ＳWに応じた速度で変化するので、記録再生ヘッド１２１は、この記録速度信号ＳWにて示される記録速度で上記ＭＰＥＧ信号Ｍ１又はＭ２をリングバッファ領域に記録して行くことになる。
【００１０】
又、記録再生ヘッド１２１は、システム制御回路１０から供給された再生指令信号に応じて、図１に示す如きハードディスク１２０のリングバッファ領域内に記録されている記録信号を読み出し、これを再生ＭＰＥＧ信号ＲＭとしてセレクタ１３に供給する。この際、システム制御回路１０は、カウント動作を開始させるべきカウント開始指令をリードポジションカウンタ１６に供給し、その現カウント値を、リングバッファ領域内での読取位置を指定すべきリードポジションＲＰとしてハードディスク装置１２に供給する。更に、システム制御回路１０は、上記リングバッファ領域から再生された再生ＭＰＥＧ信号ＲＭのビットレートに応じた再生速度を指定すべき再生速度信号ＳRを生成し、これをリードポジションカウンタ１６に供給する。これにより、リードポジションカウンタ１６は、上記再生速度信号ＳRに応じた速度でカウントアップ動作を行う。
【００１１】
従って、記録再生ヘッド１２１は、図１に示す如きリングバッファ領域内における上記リードポジションＲＰにて示される位置から記録情報の読み取りを行って再生ＭＰＥＧ信号ＲＭを得る。この際、リードポジションＲＰは、上記再生速度信号ＳRに応じた速度で変化するので、記録再生ヘッド１２１は、この再生速度信号ＳRにて示される再生速度で、順次、リングバッファ領域から記録信号の読み取りを行うことになる。
【００１２】
セレクタ１３は、上記ハードディスク装置１２から供給された再生ＭＰＥＧ信号ＲＭ、及びチューナ１１から供給されたＭＰＥＧ信号Ｍ１の内から、システム制御回路１０から供給された選択信号に応じた方を択一的に選択し、これをＭＰＥＧデコーダ１７に供給する。ＭＰＥＧデコーダ１７は、セレクタ１３から供給されたＭＰＥＧ信号に対してＭＰＥＧ復号処理を施すことにより、映像信号を得てこれを映像信号ＤAVとしてセレクタ１８に供給する。
【００１３】
ＯＳＤ(On Screen Display)画像生成回路１９は、システム制御回路１０から供給された各種メッセージ表示指令に応じた画像を表示させるべきメッセージ画像信号ＤCを生成し、これをセレクタ１８に供給する。
セレクタ１８は、上記映像信号ＤAV及びメッセージ画像信号ＤCの内から、システム制御回路１０から供給された選択信号に応じた方を択一的に選択し、これをディスプレイ装置２００に供給する。ディスプレイ装置２００は、情報記録再生装置１００から供給された上記映像信号ＤAV、又はメッセージ画像信号ＤCに基づく画像表示を行う。
【００１４】
操作装置２２は、使用者からの放送チャンネル指定操作、録画済み番組指定操作、録画指令操作、再生指令操作、録画停止操作、及び再生停止操作等を受け付け、その操作に応じた各種操作信号をシステム制御回路１０に供給する。尚、操作装置２２は、情報記録再生装置１００の筐体とは分離しているリモートコントローラであっても良い。
【００１５】
以下に、操作装置２２を用いた使用者による各種操作に応じて、システム制御回路１０が実施する情報記録再生装置１００の動作(テレビモニタ、録画、タイムシフト再生)について説明する。
(１)テレビモニタ動作
放送中の番組をリアルタイムで視聴する場合、使用者は、上記操作装置２２を用いて所望の放送チャンネルを指定すべき放送チャンネル指定操作を行う。かかる操作に応じて、システム制御回路１０は、この所望放送チャンネルの番組を受信させるべきチャンネル指定信号をチューナ１１に供給する。これと同時に、システム制御回路１０は、上記チューナ１１から出力されたＭＰＥＧ信号Ｍ１を択一的にＭＰＥＧデコーダ１７に導出すべき選択信号をセレクタ１３に供給する。更に、システム制御回路１０は、ＭＰＥＧデコーダ１７から出力された音声信号ＤAVを択一的にディスプレイ装置２００に導出すべき選択信号をセレクタ１８に供給する。
【００１６】
以上の如き制御により、チューナ１１によって受信及び復調して得られたＭＰＥＧ信号Ｍ１は、セレクタ１３を介してＭＰＥＧデコーダ１７に供給される。そして、ＭＰＥＧデコーダ１７にて復号された音声信号ＤAVが、セレクタ１８を介してディスプレイ装置２００に供給されることになる。これにより、ディスプレイ装置２００は、チューナ１１にて受信された所望チャンネルのディジタル放送番組をリアルタイムで画像表示することになる。
【００１７】
(２)録画動作
上述した如くチューナ１１にて受信した番組を録画する場合、使用者は、上記操作装置２２を用いて録画指令操作を行う。かかる録画指令操作に応じて、システム制御回路１０は、記録指令信号をハードディスク装置１２に供給すると共に、ライトポジションカウンタ１５の現在のカウント値を取り込みこれをライトポジションＷＰとしてハードディスク装置１２に供給する。更に、システム制御回路１０は、チューナ１１にて受信して得られた上記ＭＰＥＧ信号Ｍ１又はＭ２のビットレートに応じた記録速度信号ＳWを求め、これを内蔵レジスタ(図示せぬ)に記憶させると共にライトポジションカウンタ１５に供給する。これにより、ハードディスク装置１２は、上記ＭＰＥＧ信号Ｍ１又はＭ２を、上記ライトポジションＷＰにて示されるリングバッファ領域内の位置から、上記記録速度信号ＳWに応じた速度で順次記録して行く。
【００１８】
(３)タイムシフト再生動作
上記録画動作中に録画済み番組の再生を同時に行う、いわゆるタイムシフト再生を実施する場合、使用者は、上記操作装置２２を用いて再生指令操作及び録画済み番組指定操作を行う。かかる操作に応じて、システム制御回路１０は、図３に示す如きタイムシフト再生制御ルーチンに従った制御を実行する。
【００１９】
図３において、先ず、システム制御回路１０は、ハードディスク装置１２から出力された再生ＭＰＥＧ信号ＲＭをＭＰＥＧデコーダ１７に導出し、ＭＰＥＧデコーダ１７から出力された映像信号ＤAVをディスプレイ装置２００に出力せしめるべき選択信号をセレクタ１３及び１８の各々に供給する(ステップＳ１)。次に、システム制御回路１０は、カウント開始指令と共に、使用者の録画済み番組指定操作によって指定された所望番組の先頭位置を示す値をリードポジションカウンタ１６に供給する(ステップＳ２)。これにより、リードポジションカウンタ１６は、上記所望番組の先頭位置を示す値を初期カウント値として取り込み、その値からカウントアップ動作を開始する。次に、システム制御回路１０は、再生指令信号をハードディスク装置１２に供給すると共に、上記リードポジションカウンタ１６の現在のカウント値をリードポジションＲＰとして取り込み、これをハードディスク装置１２に供給する(ステップＳ３)。これにより、ハードディスク装置１２の記録再生ヘッド１２１は、上記リードポジションＲＰにて示されるリングバッファ領域内の位置から情報読取を行い、得られた再生ＭＰＥＧ信号ＲＭをセレクタ１３に供給する。この際、再生ＭＰＥＧ信号ＲＭは、セレクタ１３を介してＭＰＥＧデコーダ１７に導出され、このＭＰＥＧデコーダ１７によってて映像信号ＤAVに復号される。そして、かかる映像信号ＤAVがセレクタ１８を介してディスプレイ装置２００に出力され、上記所望番組の再生表示が為されるのである。次に、システム制御回路１０は、上記再生ＭＰＥＧ信号ＲＭのビットレートに応じた再生速度を指定すべき再生速度信号ＳRを求め、これをリードポジションカウンタ１６に供給する(ステップＳ４)。これにより、リードポジションカウンタ１６は、上記再生速度信号ＳRに応じた速度でカウントアップ動作すべく設定される。
【００２０】
次に、システム制御回路１０は、記録指令信号をハードディスク装置１２に供給すると共に、ライトポジションカウンタ１５の現在のカウント値を取り込みこれをライトポジションＷＰとしてハードディスク装置１２に供給する(ステップＳ５)。次に、システム制御回路１０は、チューナ１１にて受信して得られた上記ＭＰＥＧ信号Ｍ１又はＭ２のビットレートに応じた記録速度を指定すべき記録速度信号ＳWを求め、これを内蔵レジスタに記憶させると共にライトポジションカウンタ１５に供給する(ステップＳ６)。これにより、ハードディスク装置１２は、受信した放送番組を担う上記ＭＰＥＧ信号Ｍ１又はＭ２を、上記ライトポジションＷＰにて示されるリングバッファ領域内の位置から順次、上記記録速度信号ＳWに応じた速度で記録して行く。
【００２１】
すなわち、上記ステップＳ３〜Ｓ６なる一連の動作により、番組録画を実施しつつ録画済み番組の再生を行うという、いわゆるタイムシフト再生が為されるのである。
次に、システム制御回路１０は、使用者が上記操作装置２２を用いて再生停止操作又は録画停止操作を実施したか否かの判定を行う(ステップＳ７)。ステップＳ７において、再生停止又は録画停止操作のどちらかが為されたと判定された場合、システム制御回路１０は、このタイムシフト再生制御ルーチンを抜けて図示せぬメインルーチンの実行に移る。一方、上記ステップＳ７において、再生停止又は録画停止操作のいずれもが為されていないと判定された場合、システム制御回路１０は、ライトポジションカウンタ１５及びリードポジションカウンタ１６各々の現カウント値をライトポジションＷＰ及びリードポジションＲＰとして夫々取り込み内蔵レジスタに記憶させる(ステップＳ８)。次に、システム制御回路１０は、上記ライトポジションＷＰがリードポジションＲＰよりも大であるか否かを判定する(ステップＳ９)。すなわち、ステップＳ９により、図１に示す如きリングバッファ領域内において、現時点での再生位置(ＲＰ)が記録位置(ＷＰ)よりも先行しているか否かを判定するのである。上記ステップＳ９において、リードポジションＲＰがライトポジションＷＰよりも大ではないと判定された場合、システム制御回路１０は、上記ステップＳ３の実行に戻って、前述した如きタイムシフト再生動作を継続する。つまり、現時点での再生位置が記録位置よりも後方にある場合には、これから再生を実施しようとする部分が上書きされてしまう恐れが少ないので、そのままタイムシフト再生動作を継続するのである。
【００２２】
一方、上記ステップＳ９において、リードポジションＲＰがライトポジションＷＰよりも大であると判定された場合には、システム制御回路１０は、次に、上記内蔵レジスタに記憶されている上記記録速度信号ＳWが再生速度信号ＳRよりも大であるか否かを判定する(ステップＳ１０)。すなわち、図１に示す如く、現時点での再生位置(ＲＰ)が記録位置(ＷＰ)よりも先行している場合には、その記録速度が再生速度よりも速いか否かを判定するのである。ステップＳ１０において、上記記録速度信号ＳWが再生速度信号ＳRよりも大ではないと判定された場合、システム制御回路１０は、上記ステップＳ３の実行に戻って、前述した如きタイムシフト再生動作を継続する。つまり、記録速度が再生速度よりも速くなければ、これから再生を実施しようとする未再生箇所が新たな番組によって上書きされてしまうことは無いので、そのままタイムシフト再生動作を継続させるのである。
【００２３】
一方、上記ステップＳ１０において、上記記録速度信号ＳWが再生速度信号ＳRよりも大であると判定された場合には、システム制御回路１０は、次に、上記ライトポジションＷＰとリードポジションＲＰとの差分値が所定値αよりも小であるか否かを判定する(ステップＳ１１)。すなわち、かかるステップＳ１１により、ライトポジションＷＰとリードポジションＲＰとの距離が比較的近いか否かを判定するのである。ステップＳ１１において、ライトポジションＷＰとリードポジションＲＰとの差分値が所定値αよりも大であると判定された場合、システム制御回路１０は、上記ステップＳ３の実行に戻って、前述した如きタイムシフト再生動作を継続する。すなわち、ライトポジションＷＰとリードポジションＲＰとの距離が比較的離れていれば、これから再生を実施しようとする未再生箇所が新たな番組によって上書きされてしまうまでには時間が掛かるので、そのままタイムシフト再生動作を継続させるのである。
【００２４】
一方、上記ステップＳ１１において、ライトポジションＷＰとリードポジションＲＰとの差分値が所定値αよりも小であると判定された場合、システム制御回路１０は、以下に説明するが如きＷＰ予測ルーチンの実行に移る(ステップＳ１２)。かかるＷＰ予測ルーチンにおいて、システム制御回路１０は、上記記録速度信号ＳWに基づき、現在再生中の番組の再生が終了した時点における上記ライトポジションＷＰを求め、これを予測ライトポジションＷＰＰとして内蔵レジスタに記憶する。次に、システム制御回路１０は、上記予測ライトポジションＷＰＰが、現在再生中の番組の最後尾位置を示す番組終了ポジションＥＰよりも大であるか否かを判定する(ステップＳ１３)。ステップＳ１３において、予測ライトポジションＷＰＰが番組終了ポジションＥＰよりも大ではないと判定された場合、システム制御回路１０は、上記ステップＳ３の実行に戻って、前述した如きタイムシフト再生動作を継続する。すなわち、現在再生中の番組が現在受信中の放送番組によって上書きされる前に全て再生し終わることが予測されるのならば、そのままタイムシフト再生動作を継続させるのである。
【００２５】
一方、上記ステップＳ１３において、予測ライトポジションＷＰＰが番組終了ポジションＥＰよりも大であると判定された場合、システム制御回路１０は、
Ｎ＝(ＲＰ−ＷＰ)／(ＳW−ＳR)
なる演算により、上書きが開始されるまでの上書き予定時間Ｎを求める(ステップＳ１４)。次に、システム制御回路１０は、図４に示す如き上書予告メッセージを表示させるべきメッセージ表示指令をＯＳＤ画像生成回路１９に供給する。すなわち、システム制御回路１０は、上書き予定時間Ｎの経過後に、これから再生すべき箇所が現在受信中の番組内容によって上書きされる旨を使用者側に予告すべきメッセージ表示指令をＯＳＤ画像生成回路１９に供給するのである。更に、システム制御回路１０は、上記ＯＳＤ画像生成回路１９から出力されたメッセージ画像信号ＤCを択一的にディスプレイ装置２００に供給すべき選択信号を所定期間の間だけセレクタ１８に供給する(ステップＳ１５)。ステップＳ１５の実行により、ディスプレイ装置２００は、図４に示す如き、上書き予告メッセージ表示を所定期間だけ行う。
【００２６】
次に、システム制御回路１０は、使用者が上記操作装置２２を用いて再生停止操作又は録画停止操作を実施したか否かの判定を行う(ステップＳ１６)。ステップＳ１６において、再生停止又は録画停止操作のどちらかが為されたと判定された場合、システム制御回路１０は、このタイムシフト再生制御ルーチンを抜けて図示せぬメインルーチンの実行に移る。一方、上記ステップＳ１６において、再生停止又は録画停止操作のいずれもが為されていないと判定された場合、システム制御回路１０は、上記ライトポジションＷＰとリードポジションＲＰとの差分値に応じた再生速度を指定すべき再生速度信号ＳRを求め、これをリードポジションカウンタ１６に供給する(ステップＳ１７)。この際、上記再生速度信号ＳRは、上記ライトポジションＷＰとリードポジションＲＰとの差分値が小なるほど高速な再生速度を指定する値となる。次に、システム制御回路１０は、再生指令信号をハードディスク装置１２に供給すると共に、上記リードポジションカウンタ１６の現在のカウント値を新たなリードポジションＲＰとして取り込み、これをハードディスク装置１２に供給する(ステップＳ１８)。上記ステップＳ１７及びＳ１８の実行により、ハードディスク装置１２は、現在再生中の番組を担う記録信号の本来のビットレートよりも速い速度でこの記録信号の読み取りを行うようになる。つまり、この間、ハードディスク装置１２は、リングバッファ領域に記録されている記録信号を間引いて読み取ることになる。
【００２７】
上記ステップＳ１８の実行後、システム制御回路１０は、上記ステップＳ５の実行に戻って前述した如き動作を繰り返し実行する。つまり、この際、ステップＳ１７、Ｓ１８、Ｓ５、及びＳ６なる一連の制御によりタイムシフト再生が実施される。
従って、かかるタイムシフト再生制御によれば、現時点での再生位置が記録位置よりも先行しており、かつ現時点での記録速度が再生速度よりも速いと判定された場合には、再生速度を速めるべき調整が強制的に為されるのである。これにより、ライトポジションＷＰがリードポジションＲＰを追い抜くことによる再生予定箇所への上書きを防止するのである。
【００２８】
【発明の効果】
以上詳述した如く、本発明においては、高ビットレート番組を録画しつつ低ビットレート番組を再生している際に、これから再生すべき箇所が上記高ビットレート番組によって上書きされる可能性がでてきた場合には強制的に再生速度を速める。
【００２９】
よって、本発明によれば、タイムシフト再生での高ビットレート番組録画時における再生動作の不具合、すなわち再生予定箇所への上書きを防止することが可能となる。
【図面の簡単な説明】
【図１】タイムシフト再生時におけるリングバッファ領域内での記録及び再生動作を説明する為の図である。
【図２】本発明による情報記録再生装置１００の内部構成を示す図である。
【図３】タイムシフト再生制御ルーチンを示す図である。
【図４】上書予告メッセージ表示の一例を示す図である。
【符号の説明】
１０  システム制御回路
１１  チューナ
１２  ハードディスク装置
１５  ライトポジションカウンタ
１６  リードポジションカウンタ
【図１】
0003998909.tif 000002
【図２】
0003998909.tif 000003
【図３】
0003998909.tif 000004
【図４】
0003998909.tif 000005